(57)【要約】【課題】水平陳列と傾斜陳列の双方に好適なものであって、特に、傾斜陳列した際、最前列の単位段差部の陳列台への収まりに優れる商品陳列台を提供すること。【解決手段】商品の載置面となる商品載置部１１と商品載置部１１の後方に位置する商品の背もたれとなる背もたれ部１２とからなる単位段差部１の複数を、前方側から後方側へ順に商品載置部１１、背もたれ部１２となるように連続的に接続させてなる商品陳列台１０であって、最前列の単位段差部１における商品載置部１１と背もたれ部１２がヒンジ接合されている。【選択図】図１
0003149681.tif 000002
【実用新案登録請求の範囲】
【請求項１】
商品の載置面となる商品載置部と該商品載置部の後方に位置する商品の背もたれとなる背もたれ部とからなる単位段差部の複数を、前方側から後方側へ順に商品載置部、背もたれ部となるように連続的に接続させてなる商品陳列台であって、
最前列の単位段差部における商品載置部と背もたれ部がヒンジ接合されていることを特徴とする商品陳列台。
【請求項２】
前記ヒンジ接合が、最前列の単位段差部における背もたれ部の下端の両側部に外側に突出するように形成される係合突起と、商品載置部の後端の両側部に形成される該係合突起と係合する係合凹部であるか、または最前列の単位段差部における商品載置部の後端の両側部に外側に突出するように形成される係合突起と、背もたれ部の下端の両側部に形成される該係合突起と係合する係合凹部であることを特徴とする請求項１記載の商品陳列台。
【請求項３】
前記ヒンジ接合が、最前列の単位段差部における商品載置部と背もたれ部の左右方向長さと同じ寸法で、且つ所定の奥行き幅を有する薄肉の樹脂であることを特徴とする請求項１記載の商品陳列台。
【請求項４】
水平面へ設置した状態から最前列の単位段差部における商品載置部の先端部を手で持ち上げた際、該商品載置部が、該単位段差部の背もたれ部に対して、少なくとも３０度は回動するものであることを特徴とする請求項１〜３のいずれか１項に記載の商品陳列台。
【請求項５】
前記商品載置部は、前方側から後方側に向けての水平設置における側面形状が、後方下り傾斜形状と水平形状が連続するものであることを特徴とする請求項１〜４のいずれか１項に記載の商品陳列台。
【請求項６】
前から２列以降の単位段差部において、前記商品載置部の先端は、前側の単位段差部の背もたれ部の背面の上下方向における中央よりやや上部に接続させ、該接続位置より上方の部分を陳列商品の転落防止部とすることを特徴とする請求項１〜５のいずれか１項に記載の商品陳列台。
【請求項７】
最前列の単位段差部における商品載置部の前端に左右方向に連続する開口が上向きとなる第１係合横溝を形成したことを特徴とする請求項１〜６のいずれか１項に記載の商品陳列台。
【請求項８】
最後尾の単位段差部における背もたれ部の後側に左右方向に連続する開口が上向きとなる第２係合横溝を形成したことを特徴とする請求項１〜７のいずれか１項に記載の商品陳列台。
【請求項９】
最前列の単位段差部における商品載置部の前端に左右方向に連続する開口が下向きとなる第３係合横溝を形成したことを特徴とする請求項１〜６のいずれか１項に記載の商品陳列台。
【請求項１０】
最後尾の単位段差部における背もたれ部の後側に左右方向に連続する開口が下向きとなる第４係合横溝を形成したことを特徴とする請求項１〜７のいずれか１項に記載の商品陳列台。
【請求項１１】
最後尾の単位段差部の裏面に、収納自在な脚部を設けたことを特徴とする請求項１〜１０のいずれか１項に記載の商品陳列台。
【考案の詳細な説明】
【技術分野】
【０００１】
本考案は、スーパーや百貨店などの店内で商品を陳列するために使用されるものであって、水平設置及び傾斜設置に共に好適な商品陳列台に関するものである。
【背景技術】
【０００２】
近年、スーパー、百貨店、専門店、コンビニエンスストアー等の店内で例えば商品の陳列に使用される商品陳列棚として、図１３に示すように、商品Ａを載置する１以上の斜面１０１を一方向に隣接して設け、この一方向一端に商品落下防止部１０２を有して表陳列面１０３を構成し、該表陳列面１０３の裏側に仕切り板の嵌合溝１０４を少なくとも１以上設けて裏陳列面１０５を構成してなり、例えば陳列ケース内に高さ可変の設置台を配設し、該設置台に商品陳列棚１００の前記表陳列面及び裏陳列面のいずれか一方を置き、いずれか他方に商品を陳列する陳列棚が知られている（特開２００１−１９７９８４号公報）。この商品陳列棚１００は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【０００３】
また、図１４に示すように、前方下り傾斜の設置面を備える基台に設置する階段状の陳列面を有する商品陳列台２００が開示されている（登録意匠番号１２４５０６１号）。この商品陳列台２００を傾斜面に設置した場合、各段（単位段差部）の形状が、商品を載置するに好適な形状となるため、趣のある陳列形態を演出できるとともに、商品の陳列安定性が向上する。
【０００４】
上記従来の商品陳列棚や商品陳列台は、傾斜陳列ではあるものの、単位段差部の形状が特徴的であるため、水平面の設置台にのせて使用する水平陳列の要望がある。
【先行技術文献】
【特許文献】
【０００５】
【特許文献１】特開２００１−１９７９８４号公報
【非特許文献１】登録意匠番号１２４５０６１号
【考案の概要】
【考案が解決しようとする課題】
【０００６】
しかしながら、特開２００１−１９７９８４号公報記載の商品陳列棚を、水平陳列で使用すると、最前列の単位段差部における商品落下防止部１０２の高さが高いため、最前列の単位段差部に陳列された商品が顧客側から見え難くなる。また、登録意匠番号１２４５０６１号の商品陳列台を、水平陳列で使用すると、最前列の単位段差部の裏面が顧客には見えることになり、せっかくの陳列の演出が台無しとなる。
【０００７】
従って、本考案の目的は、水平陳列と傾斜陳列の双方に好適なものであって、特に、傾斜陳列した際、最前列の単位段差部の陳列台への収まりに優れる商品陳列台を提供することにある。
【課題を解決するための手段】
【０００８】
かかる実情において、本考案者は鋭意検討を行った結果、最前列の単位段差部における商品載置部と背もたれ部をヒンジ接合すれば、傾斜設置した際、最前列の単位段差部の商品載置部が傾斜面に沿って下方へ回動し、傾斜面に沿った自然な設置形態となり、設置台への収まりがよくなることなどを見出し、本考案を完成するに至った。
【０００９】
すなわち、本考案は、商品の載置面となる商品載置部と該商品載置部の後方に位置する商品の背もたれとなる背もたれ部とからなる単位段差部の複数を、前方側から後方側へ順に商品載置部、背もたれ部となるように連続的に接続させてなる商品陳列台であって、最前列の単位段差部における商品載置部と背もたれ部がヒンジ接合されていることを特徴とする商品陳列台を提供するものである。
【００１０】
また、本考案は、前記ヒンジ接合が、最前列の単位段差部における背もたれ部の下端の両側部に外側に突出するように形成される係合突起と、商品載置部の後端の両側部に形成される該係合突起と係合する係合凹部であるか、または最前列の単位段差部における商品載置部の後端の両側部に外側に突出するように形成される係合突起と、背もたれ部の下端の両側部に形成される該係合突起と係合する係合凹部であることを特徴とする前記商品陳列台を提供するものである。
【００１１】
また、本考案は、前記ヒンジ接合が、最前列の単位段差部における商品載置部と背もたれ部の左右方向長さと同じ寸法で、且つ所定の奥行き幅を有する薄肉の樹脂である前記商品陳列台を提供するものである。
【００１２】
また、本考案は、水平面へ設置した状態から最前列の単位段差部における商品載置部の先端部を手で持ち上げた際、該商品載置部が、該単位段差部の背もたれ部に対して、少なくとも３０度は回動するものであることを特徴とする前記商品陳列台を提供するものである。
【００１３】
また、本考案は、前記商品載置部は、前方側から後方側に向けての水平設置における側面形状が、後方下り傾斜形状と水平形状が連続するものであることを特徴とする前記商品陳列台を提供するものである。
【００１４】
また、本考案は、前から２列以降の単位段差部にいて、前記商品載置部の先端は、前側の単位段差部の背もたれ部の背面の上下方向における中央よりやや上部に接続させ、該接続位置より上方の部分を陳列商品の転落防止部とすることを特徴とする前記商品陳列台を提供するものである。
【００１５】
また、本考案は、最前列の単位段差部における商品載置部の前端に左右方向に連続する開口が上向きとなる第１係合横溝を形成したことを特徴とする前記商品陳列台を提供するものである。
【００１６】
本考案は、最後尾の単位段差部における背もたれ部の後側に左右方向に連続する開口が上向きとなる第２係合横溝を形成したことを特徴とする前記商品陳列台を提供するものである。
【００１７】
本考案は、最前列の単位段差部における商品載置部の前端に左右方向に連続する開口が下向きとなる第３係合横溝を形成したことを特徴とする前記商品陳列台を提供するものである。
【００１８】
また、本考案は、最後尾の単位段差部における背もたれ部の後側に左右方向に連続する開口が下向きとなる第４係合横溝を形成したことを特徴とする前記商品陳列台を提供するものである。
【００１９】
また、本考案は、最後尾の単位段差部の裏面に、収納自在な脚部を設けたことを特徴とする前記商品陳列台を提供するものである。
【考案の効果】
【００２０】
本考案の商品陳列台は、水平陳列と傾斜陳列の双方に好適なものであって、特に、傾斜設置した際、最前列の単位段差部の商品載置部が傾斜面に沿って下方へ回動し、傾斜面に沿った自然な設置形態となり、設置台への収まりがよくなる。
【図面の簡単な説明】
【００２１】
【図１】本実施の形態における商品陳列台の分解斜視図である。
【図２】本実施の形態における商品陳列台の水平設置における側面図である。
【図３】本実施の形態における商品陳列台の傾斜設置における側面図である。
【図４】本実施の形態における商品陳列台の裏面から見た斜視図である。
【図５】図４の商品陳列台の脚部を使用状態とした斜視図である。
【図６】商品陳列台の脚部の取り付け方法を説明する図である。
【図７】商品陳列台の脚部の収納方法を説明する図であり、（Ａ）が脚部使用状態図、（Ｂ）が脚部収納開示状態図、（Ｃ）が脚部収納終了状態図である。
【図８】本実施の形態における商品陳列台の傾斜棚での使用状態図である。
【図９】本実施の形態における商品陳列台の傾斜棚での他の使用状態図である。
【図１０】本実施の形態における商品陳列台の水平棚での使用状態図である。
【図１１】本実施の形態における商品陳列台の水平棚での他の使用状態図である。
【図１２】本例の商品陳列台の連結方法を説明する図であり、（Ａ）が連結前の状態、（Ｂ）が連結後の状態である。
【図１３】従来の傾斜陳列用の商品陳列台の側面図である。
【図１４】従来の傾斜陳列用の他の商品陳列台の側面図である。
【考案を実施するための形態】
【００２２】
次に、本考案の実施の形態における商品陳列台を図１〜図１２を参照して説明する。商品陳列台１０は、商品の載置面となる商品載置部１１と商品載置部１１の後方に位置する商品の背もたれとなる背もたれ部１２とからなる単位段差部１の複数を、前方側から後方側へ順に商品載置部１１、背もたれ部１２となるように連続的に接続させてなり、最前列の単位段差部１ａにおける商品載置部１１ａと背もたれ部１２ａがヒンジ接合されているものである。本明細書中、「前」は顧客側を言い、「後」はその反対側を言う。
【００２３】
商品陳列台１０は、樹脂製であって、所定幅寸法（左右方向の長さ）と所定の奥行き寸法（前後方向の長さ）を有する平面視が概ね矩形状のものである。また、所定の厚みを有し、水平設置において、側面視が略鋸刃状となるものである。所定幅寸法や所定の奥行きは、商品の陳列台の大きさや陳列商品の設置数量などにより適宜決定される。
【００２４】
前から２列以降の単位段差部１において、商品載置部１１は、所定の奥行き寸法を有し、且つ商品が載置される形状であれば特に制限されず、本例では前方側から後方側に向けての水平設置における側面形状が、後方下り傾斜形状部１１１と水平形状部１１２が連続するものである。傾斜形状部１１１と水平形状部１１２の奥行き方向の寸法比としては、５０：５０〜７０：３０が好適である。商品載置部１１のその他の形状としては、水平設置における側面形状が、後方下り傾斜状、あるいは緩やかな曲面形状を呈する凹状などが挙げられる。
【００２５】
商品載置部１１の傾斜形状部１１１に、左右方向に連続する一条の突起が形成されている。これにより、陳列商品の滑りを防止することができる。また、商品載置部１１の傾斜形状部１１１の裏面には、左右方向の例えば２又は３箇所に、固定脚部１１３を形成させてもよい。これにより、重量のある商品が陳列されても陳列姿勢が安定する。
【００２６】
背もたれ部１２は、商品載置部１１の水平形状部１１２の後端より屈曲して水平設置において、概ね起立状態となるものである。本例では、水平形状部１１２となす角度が９０度よりやや大きめである。このような形状とすることで、背もたれ部１２が、傾斜設置では起立状態となり、水平設置ではやや後ろ傾斜となり、陳列商品の陳列状態が安定する。背もたれ部１２の高さ寸法は陳列する商品などにより適宜決定される。背もたれ部１２の高さが、陳列商品に対して余り高すぎると、顧客側から見て陳列商品が見難くなる。
【００２７】
前から２列以降の単位段差部１において、商品載置部１１の先端は、前側の単位段差部１の背もたれ部１２の背面の上下方向における中央よりやや上部に接続させ、この接続位置より上方の部分を陳列商品が前方へ転落することを防止する転落防止部１１４とする。これにより、背もたれの機能と商品転落防止の機能を共に達成することができる。
【００２８】
また、商品載置部１１及び背もたれ部１２の裏面には左右方向に所定のピッチで前後方向に延びる多数のリブ４１を形成させてもよい。これにより、商品陳列台の軽量化と強度補強の双方を同時に達成することができる。
【００２９】
商品陳列台１０の表面には左右方向に所定のピッチで前後方向に延びる縦溝３が形成されている。すなわち、商品載置部１１の前方側とこれに連続する前側の背もたれ部１２の上方側に縦溝３が形成される。これにより、別途、板状の仕切り板を準備し、この縦溝３にはめ込めば、陳列商品を左右方向に区画できる。
【００３０】
商品陳列台１０において、単位段差部１が繰り返し接続する個数としては、特に制限されないが、好適には３〜６つ、特に３又は４つである。単位段差部１が少な過ぎると、商品の陳列面積が小さくなる。一方、単位段差部１が多すぎると、奥行き寸法が大の陳列台が必要となる。
【００３１】
最前列の単位段差部１ａにおける商品載置部１１ａの形状は、前から２列以降の単位段差部１の商品載置部１１の形状と同じでよいが、本例では、後方下り傾斜形状部の傾斜を緩やかにしている。また、裏面の固定脚部の設置を省略している。これにより、顧客側からは商品全体、特に商品の下側部分もよく見えるようになる。
【００３２】
最前列の単位段差部１ａにおける商品載置部１１ａと背もたれ部１２ａのヒンジ接合は、最前列の単位段差部１ａにおける商品載置部１１ａが背もたれ部１２ａに対して、商品載置部１１ａの後端を回転軸として、前後方向に回動するものであれば、特に制限されない。本例では、ヒンジ接合が、最前列の単位段差部１ａにおける背もたれ部１２ａの下端の両側部に外側に突出するように形成される係合突起２２と、商品載置部１１ａの後端の両側部に形成される係合突起２２と係合する係合凹部２１である。
【００３３】
係合突起２２は丸棒部材であり、突出長さは数ｍｍ〜５ｍｍ程度である。また、係合凹部２１は丸棒部材を回転自在に支持する軸受け構造である。また、左右の係合凹部２１間は、背もたれ部１２ａの下端部が嵌り込む凹溝が長手方向に延びるように形成されている。これにより、商品載置部１１ａと背もたれ部１２ａが一体的に嵌合できる。このヒンジ接合により、最前列の単位段差部１ａにおける商品載置部１１ａは、背もたれ部１２ａに対して、商品載置部１１ａの後端を回転軸として、前後方向に回動する。このため、例えば図２の水平設置状態から、図３のように傾斜設置した際、最前列の単位段差部１ａの商品載置部１１ａが傾斜面３９に沿って下方へ回動し（図３の角度α）、傾斜面に沿った自然な設置形態となり、設置台への収まりがよくなる。
【００３４】
ヒンジ接合は、本例の形態に限定されず、例えば、最前列の単位段差部１ａにおける商品載置部１１ａの後端の両側部に外側に突出するように形成される係合突起と、背もたれ部１２ａの下端の両側部に形成される係合突起と係合する係合凹部とで構成される形態、及び最前列の単位段差部１ａにおける商品載置部１１ａと背もたれ部１２ａの接合部分を、薄肉の樹脂とする形態などが挙げられる。ヒンジ接合を薄肉の樹脂とする際、接合部分は、商品載置部１１ａ及び背もたれ部１２ａと左右方向長さが同じで、且つ所定の奥行き幅を有する帯状のものが好適である。
【００３５】
薄肉の樹脂をヒンジとする形態によれば、薄肉の樹脂部が可撓性であるため、商品陳列台１０を傾斜面に設置した場合、元の形状（図３中の破線部）を維持できず商品載置部１１ａの重さにより、傾斜面３９に沿って下方へ回動し（図３の角度α）、傾斜面に沿った自然な設置形態となり、設置台への収まりがよくなる。
【００３６】
ヒンジ接合により、水平面へ設置した状態から最前列の単位段差部１ａにおける商品載置部１１ａの先端部を手で持ち上げた際、商品載置部１１ａが、単位段差部１の背もたれ部１２ａに対して、少なくとも３０度回動するものであれば、通常の陳列基台の傾斜面に対応可能である。
【００３７】
商品陳列台１０には、最前列の単位段差部１ａにおける商品載置部１１ａの前端に左右方向に連続する開口が上向きとなる第１係合横溝４が形成されている。この第１係合横溝４に、所定高さの板状物を嵌め込めば、最前列の単位段差部１ａに載置される陳列商品の前方への転落を防止できる。また、この第１係合横溝４に、所定高さの商品情報が記載されたＰＯＰ板を嵌め込めば、顧客は陳列商品の情報を知ることができる。
【００３８】
商品陳列台１０には、最後尾の単位段差部１における背もたれ部１２ａの後側に左右方向に連続する開口が上向きとなる第２係合横溝５が形成されている。この第２係合横溝５に、ミラー板を嵌め込めば、背面の景色を隠すと共に、更に奥側に仮想の陳列面を形成することができ、演出効果が高まる。また、別途の商品陳列台１０ａを商品陳列台１０の後ろにおいて、奥行き方向に連結する際、後方連結部として機能させることができる（図１２参照）。
【００３９】
商品陳列台１０には、最前列の単位段差部１ａにおける商品載置部１１ａの前端に左右方向に連続する開口が下向きとなる第３係合横溝７が形成されている。この第３係合横溝７は、別途の商品陳列台１０を商品陳列台１０の前に置いて、奥行き方向に連結する際、前方連結部として機能させることができる（図１２参照）。
【００４０】
商品陳列台１０には、最後尾の単位段差部１における背もたれ部１２の後側に左右方向に連続する開口が下向きとなる第４係合横溝６が形成されている。第４係合横溝６は収納自在の脚部８の先端部８２が収納される部分である。
【００４１】
商品陳列台１０の最後尾の単位段差部１の裏面には、収納自在な脚部８が設置されている。脚部８は、水平設置において使用されるものであって、商品陳列台１０の最後尾の単位段差部１の裏面に形成され脚部本体８２の基部が軸支される軸受け部８１と、軸受け部８１に嵌め込まれる脚部本体８２からなる。脚部本体８２は所定幅と所定高さの板状部８１１と板状部８１１の先端から約９０度屈曲する設置面に接する先端部８１２からなる。脚部本体８２は軸受け部８１に回動自在であり、収納状態において、先端部８１２が商品陳列台１０本体の第４係合横溝６に嵌るため、水平設置状態であっても陳列姿勢に悪影響することはない。また、脚部本体８２の板状部８１１の取り付け側の先端の両側には丸棒状の係合突起８１３が形成されている。
【００４２】
軸受け部８１は、図６に示すように、下端が開口となり、後板の高さが前板の高さよりも小である長尺箱状物であり、長尺箱状物の内側の両端には上下方向に長く内側に開口となる長孔８１４が形成されている。なお、図６は軸受け部８１の構造を示すものであり、単位段差１が少ないなど一部を省略している。
【００４３】
軸受け部８１に脚部本体８２を取り付けて使用状態とするには、次ぎのように行なう。すなわち、脚部本体８２の係合突起８１３側を軸受け部８１の開口に差し込み、奥深く挿入する。この状態で脚部本体８２を立てれば使用状態とすることができる（図７（Ａ））。次いで、脚部本体８２を収納状態とするには、次ぎのように行なう。すなわち、商品陳列台１０を持ち上げ、脚部本体８２を下方へ下げる。すると脚部本体８２の一対の係合突起８１３が長孔８１４の下壁に当接するため、浅い嵌合状態で停止する（図７（Ｂ））。この状態で脚部本体８２を後方へ回動させれば、軸受け部８１の開口の後板の高さが低いため、回動の障害とならず、先端部８１２が第４係合横溝６に収納され、脚部本体８２の全体が商品陳列台１０の形状に沿って収納される（図７（Ｃ））。
【００４４】
次いで、商品陳列台１０の使用方法について説明する。図８及び図９に示すように、商品陳列台１０を傾斜棚面８１に設置する。この際、商品陳列台１０の最前列の単位段差部１ａの商品載置部１１ａが背もたれ部１２ａに対して下方に回動し、傾斜面に沿った位置で停止する。これにより、商品載置部１１ａは傾斜面に沿った自然な設置形態となり、設置台への収まりがよくなる。この状態において、単位段差部１に商品Ａを載せれば、階段状の陳列形態を演出できる。前から２列以降に陳列された商品Ａは、商品載置部１１の形状により、僅かに後ろ傾斜となり背もたれ部１２で後方支持される。これにより陳列形態が安定する。また、最前列の単位段差部１ａの商品載置部１１ａが僅かに前方下り傾斜となるものの、商品Ａの設置は安定すると共に、顧客側からは商品陳列台１０の前方部分が隠れて商品全体、特に商品の下側部分もよく見えるようになる。なお、商品陳列台１０の前スペースを利用すれば、３つの単位段差部を有する商品陳列台であっても、４つの階段状の陳列が可能となる（図９）。
【００４５】
図１０及び図１１に示すように、商品陳列台１０を水平棚面９１に設置することもできる。この際、商品陳列台１０の最前列の単位段差部１ａの商品載置部１１ａが背もたれ部１２ａに対して上方に回動し、傾斜面９１に沿った位置で停止する。これにより、商品載置部１１ａは水平面に沿った自然な設置形態となり、設置台への収まりがよくなる。この状態において、単位段差部１に商品Ａを載せれば、水平設置における階段状の陳列形態を演出できる。各単位段差部に陳列された商品Ａは、商品載置部１１ａ、１１の形状により、僅かに後ろ傾斜となり背もたれ部１２で後方支持される。これにより陳列形態が安定する。また、商品陳列台１０の前スペースを利用すれば、３つの単位段差部を有する商品陳列台であっても、４つの階段状の陳列が可能となる（図１１）。
【産業上の利用可能性】
【００４６】
本考案の商品陳列台は、スーパーや百貨店などの店内で、水平設置や傾斜設置のいずれであっても陳列商品を見易く陳列できる。
【符号の説明】
【００４７】
１    単位段差部
１ａ  最前列の単位段差部
２    ヒンジ接合
３    縦溝
４    第１係合横溝
５    第２係合横溝
６    第４係合横溝
７    第３係合横溝
８  脚部
１０  商品陳列台
１１  商品載置部
１１ａ  最前列の単位段差部における商品載置部
１２  背もたれ部
１２ａ  最前列の単位段差部における背もたれ部
１１１  後方下り傾斜形状部
１１２  水平形状部
Ａ      商品
【図１】
0003149681.tif 000003
【図２】
0003149681.tif 000004
【図３】
0003149681.tif 000005
【図４】
0003149681.tif 000006
【図５】
0003149681.tif 000007
【図６】
0003149681.tif 000008
【図７】
0003149681.tif 000009
【図８】
0003149681.tif 000010
【図９】
0003149681.tif 000011
【図１０】
0003149681.tif 000012
【図１１】
0003149681.tif 000013
【図１２】
0003149681.tif 000014
【図１３】
0003149681.tif 000015
【図１４】
0003149681.tif 000016